(57)【要約】【課題】ネットワーク機器の設定データと配置データを矛盾なく効率的に管理する。【解決手段】ネットワーク機器管理装置１００から、設定データと配置データをネットワーク機器設定装置１２０に送信し、設定データ及び配置データに変更がなければ、設定データ送信部１２８が設定データをネットワーク機器１５０に送信し、ネットワーク機器１５０に設定データの設定を行わせ、データ表示部１２５が配置データを機器配置指示として表示し、一方、変更がある場合は、データ修正部１２６が修正を行い、設定データ送信部１２８が修正後の設定データをネットワーク機器１５０に送信し、ネットワーク機器１５０に修正後の設定データの設定を行わせ、データ表示部１２５が修正後の配置データを機器配置指示として表示し、データ反映部１２９が、修正後の設定データ、修正後の配置データをネットワーク機器管理装置１００に送信し、修正内容を反映させる。【選択図】図１
2007335963.tif 000002
【特許請求の範囲】
【請求項１】
設定対象機器に設定する設定データと、前記設定対象機器の配置場所を示す配置データとを対応付けて受信するデータ取得部と、
前記データ取得部により受信された配置データ及び前記データ取得部により受信された配置データから配置場所が変更された変更後の配置データのいずれかを機器配置指示として出力する出力部と、
前記データ取得部により受信された設定データ及び前記データ取得部により受信された設定データから設定内容が変更された変更後の設定データのいずれかを前記設定対象機器に送信する設定データ送信部とを有することを特徴とする機器設定装置。
【請求項２】
前記機器設定装置は、更に、
前記データ取得部により受信された設定データに示された設定内容を変更して変更後の設定データとする設定データ変更部と、
前記データ取得部により受信された配置データに示された配置場所を変更して変更後の配置データとする配置データ変更部とを有し、
前記出力部は、
前記配置データ変更部により配置データの変更が行われた場合に、前記変更後の配置データを機器配置指示として出力し、前記配置データ変更部により配置データの変更が行われていない場合に、前記データ取得部により受信された配置データを機器配置指示として出力し、
前記設定データ送信部は、
前記設定データ変更部により設定データの変更が行われた場合に、前記変更後の設定データを前記設定対象機器に送信し、前記設定データ変更部により設定データの変更が行われていない場合に、前記データ取得部により受信された設定データを前記設定対象機器に送信することを特徴とする請求項１に記載の機器設定装置。
【請求項３】
前記データ取得部は、
前記設定対象機器を管理する機器管理装置から、機器管理装置により生成された設定データ及び配置データを受信し、
前記機器設定装置は、更に、
前記設定データ変更部による設定データの変更及び前記配置データ変更部による配置データの変更の少なくともいずれかがなされた場合に、変更後の設定データ及び変更後の配置データの少なくともいずれかを前記機器管理装置に対して送信して、前記機器管理装置に設定データ及び配置データの少なくともいずれかの更新を行わせるデータ反映部を有することを特徴とする請求項２に記載の機器設定装置。
【請求項４】
設定対象機器に設定する設定データと、前記設定対象機器の配置場所を示す配置データとを対応付けて受信するデータ取得ステップと、
前記データ取得ステップにより受信された配置データ及び前記データ取得ステップにより受信された配置データから配置場所が変更された変更後の配置データのいずれかを機器配置指示として出力する出力ステップと、
前記データ取得ステップにより受信された設定データ及び前記データ取得ステップにより受信された設定データから設定内容が変更された変更後の設定データのいずれかを前記設定対象機器に送信する設定データ送信ステップとを有することを特徴とする機器設定方法。
【請求項５】
前記機器設定方法は、更に、
前記データ取得ステップにより受信された設定データに示された設定内容を変更して変更後の設定データとする設定データ変更ステップと、
前記データ取得ステップにより受信された配置データに示された配置場所を変更して変更後の配置データとする配置データ変更ステップとを有し、
前記出力ステップは、
前記配置データ変更ステップにより配置データの変更が行われた場合に、前記変更後の配置データを機器配置指示として出力し、前記配置データ変更ステップにより配置データの変更が行われていない場合に、前記データ取得ステップにより受信された配置データを機器配置指示として出力し、
前記設定データ送信ステップは、
前記設定データ変更ステップにより設定データの変更が行われた場合に、前記変更後の設定データを前記設定対象機器に送信し、前記設定データ変更ステップにより設定データの変更が行われていない場合に、前記データ取得ステップにより受信された設定データを前記設定対象機器に送信することを特徴とする請求項４に記載の機器設定方法。
【請求項６】
前記データ取得ステップは、
前記設定対象機器を管理する機器管理装置から、機器管理装置により生成された設定データ及び配置データを受信し、
前記機器設定方法は、更に、
前記設定データ変更ステップによる設定データの変更及び前記配置データ変更ステップによる配置データの変更の少なくともいずれかがなされた場合に、変更後の設定データ及び変更後の配置データの少なくともいずれかを前記機器管理装置に対して送信して、前記機器管理装置に設定データ及び配置データの少なくともいずれかの更新を行わせるデータ反映ステップを有することを特徴とする請求項５に記載の機器設定方法。
【請求項７】
設定対象機器に設定する設定データと、前記設定対象機器の配置場所を示す配置データとを対応付けて受信するデータ取得処理と、
前記データ取得処理により受信された配置データ及び前記データ取得処理により受信された配置データから配置場所が変更された変更後の配置データのいずれかを機器配置指示として出力する出力処理と、
前記データ取得処理により受信された設定データ及び前記データ取得処理により受信された設定データから設定内容が変更された変更後の設定データのいずれかを前記設定対象機器に送信する設定データ送信処理とをコンピュータに実行させることを特徴とするプログラム。
【発明の詳細な説明】
【技術分野】
【０００１】
本発明は、ネットワーク機器の設定データと配置データを矛盾なく効率的に管理することのできるシステムに関する。
【背景技術】
【０００２】
図８は、特開２００４−３６３９３７号公報「カメラ監視システム、およびその制御方法」に記載された映像監視システムの構成図である。
このシステムの主な構成要素は、カメラ８１０、無線基地局８２０、カメラ８１０と無線基地局８２０の対応関係を表したテーブル８３０、カメラ８１０の映像を取得するための監視サーバ８４０である。
図９（ａ）は、テーブル８３０を具体的に表したものであり、カメラ８１０の設置場所、無線基地局８２０のＩＰアドレスとカメラ８１０のＩＰアドレスの対応関係をまとめたものである。
本従来技術では、テーブル８３０にて、カメラ８１０の設置場所とカメラ８１０の対応を直接管理するのではなく、カメラ８１０と無線基地局８２０の対応関係を管理する。
このようにして、たとえば「位置Ｐ２」の映像を取得したい場合には、監視サーバ８４０はテーブル８３０を参照し、まず無線基地局番号＃Ｂを取得する。次に＃Ｂと関連しているカメラ番号＃２を取得する。これにより、位置Ｐ２の映像を取得するためには、カメラ＃２から映像を取得すれば良いことが分かる。
ここで位置Ｐ２の映像を撮影しているカメラ番号＃２のカメラが故障した場合を考える。このとき、システムのユーザは、図９（ａ）の「ストック」に示されたカメラ＃６と位置Ｐ２のカメラ＃２とを交換し、テーブル８３０を図９（ｂ）のように修正する。ここで、再度位置Ｐ２の映像を取得したい場合を考える。位置Ｐ２の映像を取得するためには、テーブル８３０を参照し、無線基地局番号＃Ｂを取得する。次に＃Ｂと関連しているカメラ番号＃６を取得する。これにより、位置Ｐ２の映像を取得するためには、カメラ＃６から映像を取得すればよいことが分かる。
【０００３】
以上のように、特開２００４−３６３９３７号公報「カメラ監視システム、およびその制御方法」では、カメラ８１０と無線基地局８２０の対応関係をテーブルで管理することにより、ネットワーク機器の設定データと配置データを矛盾なく管理している。
【特許文献１】特開２００４−３６３９３７号公報
【発明の開示】
【発明が解決しようとする課題】
【０００４】
以上説明したように、従来のネットワーク機器に対する設定データの管理方式およびネットワーク機器の配置を管理する方式では、事前に設定処理が施された複数のネットワーク機器が存在し、続いてそれらのネットワーク機器を設置してから、機器の配置場所と機器の識別情報の対応関係をテーブル化するという２ステップの手順をとっていた。そのため、テーブル化の際にネットワーク機器の配置場所と識別情報の対応関係にズレが生じ、システムに誤った設定データを登録してしまう可能性があるという問題があった。
【０００５】
本発明は上記のような問題点を解決することを主な目的としており、ネットワーク機器に対する設定と機器配置データを同時に管理することにより、実際のネットワーク機器の設定・配置データと機器管理システムに登録された設定・配置データとに一貫性を持たせることを目的の一つとする。また、実際にネットワーク機器が配置される場所と設定内容とを正確に管理することも目的の一つとする。
【課題を解決するための手段】
【０００６】
本発明に係る機器設定装置は、
設定対象機器に設定する設定データと、前記設定対象機器の配置場所を示す配置データとを対応付けて受信するデータ取得部と、
前記データ取得部により受信された配置データ及び前記データ取得部により受信された配置データから配置場所が変更された変更後の配置データのいずれかを機器配置指示として出力する出力部と、
前記データ取得部により受信された設定データ及び前記データ取得部により受信された設定データから設定内容が変更された変更後の設定データのいずれかを前記設定対象機器に送信する設定データ送信部とを有することを特徴とする。
【発明の効果】
【０００７】
本発明によれば、受信した設定データ及び配置データに変更がない場合は、受信した設定データを設定対象機器に送信し、また、受信した配置データを機器配置指示として出力するため、実際の設定対象機器の設定内容及び配置場所と管理用に登録された設定データの内容及び配置データの内容とを一致させることができる。
また、設定データ又は配置データに変更が必要な場合でも、変更後の設定データを設定対象機器に送信し、また変更後の配置データを機器配置指示として出力するため、変更後の設定内容通りに設定対象機器が設定されることになり、また、変更後の配置場所に設定対象機器が配置されることなる。これにより、設定対象機器の設定の設定内容及び配置場所を正確に管理することができる。
【発明を実施するための最良の形態】
【０００８】
実施の形態１．
本実施の形態では、ネットワーク機器に対する設定とネットワーク機器が配置されている場所の管理を同時に行うことにより、ネットワーク機器の設定データと配置データを矛盾なく効率的に管理することのできるシステムを提供する。
具体的には、本実施の形態では、ネットワーク機器に与えられるＩＰアドレス等の設定データとネットワーク機器が設置される場所に関する位置情報などからなる配置データを同時に管理することにより、ネットワーク機器を管理する管理システムに登録される設定・配置データと、実際のネットワーク機器の設定・配置データとに一貫性を持たせる。
【０００９】
以下、本実施の形態を図を参照して説明する。
図１は、本実施の形態に係るネットワーク機器管理システムのシステム構成図である。
図１において、ネットワーク機器管理装置１００は、ネットワークに存在するネットワーク機器を一元管理する。ネットワーク機器管理装置１００は、管理者１０１に利用される。ネットワーク機器管理装置１００は、機器管理装置の例である。
ネットワーク機器１５０は、ネットワーク機器管理装置１００の管理対象となる機器である。ネットワーク機器１５０は、設定対象機器の例である。
ネットワーク機器設定装置１２０は、ネットワーク機器１５０に対して設定を行いネットワーク機器の配置場所を設定作業者に表示する。ネットワーク機器設定装置１２０は、設定作業者１２１に利用される。ネットワーク機器設定装置１２０は、機器設定装置の例である。
これら３つの装置および機器は、通信手段１９０によって接続されている。
【００１０】
また、図１において、設定データとして、ネットワーク機器管理装置１００は、設定データ（１）１０４を有し、ネットワーク機器設定装置１２０は設定データ（２）１２３を有し、ネットワーク機器１５０は、設定データ（３）１５３を有する。これら設定データ（１）〜（３）は、どの装置又は機器に存在するかによりかっこ内の番号が異なっている。設定データ（１）〜（３）は、原則として同じ内容となる。しかし、後述するように、ネットワーク機器設定装置１２０において、設定データの修正・変更があった場合は、設定データ（２）１２３と設定データ（３）１５３とは相互に同一内容であるが、設定データ（１）１０４とは一時的に異なる場合がある。但し、この場合でも、設定データ（１）１０４を設定データ（２）１２３に一致させるようデータの更新を行えば、設定データ（１）〜（３）はすべて同じ内容となる。
同様にして、配置データとして、ネットワーク機器管理装置１００は、配置データ（１）１０５を有し、ネットワーク機器設定装置１２０は配置データ（２）１２４を有する。これら配置データ（１）、（２）は、どの装置に存在するかによりかっこ内の番号が異なっている。配置データ（１）、（２）は、原則として同じ内容となる。しかし、後述するように、ネットワーク機器設定装置１２０において、配置データの修正・変更があった場合は、配置データ（１）１０５と配置データ（２）１２４とが一時的に異なる場合がある。但し、この場合でも、配置データ（１）１０５を配置データ（２）１２４に一致させるようデータの更新を行えば、配置データ（１）、（２）は同じ内容となる。
【００１１】
まずネットワーク機器管理装置１００について説明する。
ネットワーク機器管理装置１００は、設定データ作成部１０２と、ネットワーク機器１５０の配置データを作成するための配置データ作成部１０３を有している。
また、設定データ（１）１０４及び配置データ（１）１０５を記憶するデータ記憶部１０７を有する。
更に、ネットワーク機器管理装置１００は、設定データと配置データをネットワーク機器設定装置１２０に送信し、設定データと配置データに修正があった場合に、修正後のデータをネットワーク機器設定装置１２０から受信する通信部１０８と、ネットワーク機器管理装置１００に含まれる各要素を管理し、全体の制御を行う制御部１０９とを有する。
設定データ（１）１０４と配置データ（１）１０５は、ぞれぞれ設定データ作成部１０２と配置データ作成部１０３を用いて、管理者１０１により作成されるものである。
管理画面表示部１０６は、設定データ（１）１０４と配置データ（１）１０５を管理者１０１に対して表示するものである。
【００１２】
次に、ネットワーク機器設定装置１２０について説明する。
ネットワーク機器設定装置１２０は、ネットワーク機器管理装置１００の設定データ（１）１０４および配置データ（１）１０５を取り込むためのデータ取得部１２２、取り込んだ前記設定データ（１）１０４、配置データ（１）１０５を表示／修正する手段として、それぞれデータ表示部１２５、データ修正部１２６を有している。
また、ネットワーク機器設定装置１２０に取り込まれた設定データ（２）１２３をネットワーク機器１５０に送信するための設定データ送信部１２８と設定データ送信部１２８が設定データ（２）１２３を利用できるようにデータ変換を行う設定データ変換部１２７を有している。
また、ネットワーク機器設定装置１２０は、設定データ（２）１２３及び配置データ（２）１２４を記憶するデータ記憶部１３０と、ネットワーク機器設定装置１２０に含まれる各要素を管理し、全体の制御を行う制御部１３１とを有する。
【００１３】
データ取得部１２２は、ネットワーク機器１５０（設定対象機器）に設定する設定データと、ネットワーク機器１５０の配置場所を示す配置データとを受信する。
また、データ修正部１２６は、データ取得部１２２により受信された設定データに示された設定内容を変更して変更後の設定データとし、また、データ取得部１２２により受信された配置データに示された配置場所を変更して変更後の配置データとする。
データ表示部１２５は、データ修正部１２６により配置データの変更が行われた場合に、変更後の配置データを機器配置指示として設定作業者１２１に対して出力し、データ修正部１２６により配置データの変更が行われていない場合に、データ取得部１２２により受信された配置データを機器配置指示として設定作業者１２１に対して出力する。
設定データ送信部１２８は、データ修正部１２６により設定データの変更が行われた場合に、変更後の設定データを設定対象のネットワーク機器１５０に送信し、データ修正部１２６により設定データの変更が行われていない場合に、データ取得部１２２により受信された設定データを設定対象のネットワーク機器１５０に送信する。
データ反映部１２９は、データ修正部１２６による設定データの変更及び配置データの変更の少なくともいずれかがなされた場合に、変更後の設定データ及び変更後の配置データの少なくともいずれかをネットワーク機器管理装置１００に対して送信して、ネットワーク機器管理装置１００に設定データ及び配置データの少なくともいずれかの更新を行わせる。
なお、データ表示部１２５は出力部の例であり、データ修正部１２６は設定データ変更部及び配置データ変更部の例である。
【００１４】
ネットワーク機器１５０は、ネットワーク機器設定装置１２０から送信される設定データ（２）１２３を受信するための設定データ受信部１５１と、受信した設定データをネットワーク機器１５０が利用可能となるように変換する設定データ変換部１５２を有しており、変換されたデータが設定データ（３）１５３である。また、また、設定データ（３）１５３を記憶するデータ記憶部１５４と、ネットワーク機器１５０に含まれる各要素を管理し、全体の制御を行う制御部１５５を有する。
【００１５】
次に、本実施の形態に係るネットワーク機器管理システムの動作を概説する。
管理者１０１がネットワーク機器管理装置１００を用いて、ネットワーク機器１５０の設定データと配置データを作成し、設定データと配置データをネットワーク機器管理装置１００から、設定作業者１２１が用いるネットワーク機器設定装置１２０に送信する。
ネットワーク機器設定装置１２０では、設定データ及び配置データに変更がなければ、設定データ送信部１２８が設定データを設定データ変換部１２７によるデータ変換の後、ネットワーク機器１５０に送信し、ネットワーク機器１５０に設定データの設定を行わせる。また、データ表示部１２５が配置データを機器配置指示として表示する。
一方、設定データ及び配置データに変更がある場合は、データ修正部１２６が修正を行い設定データ送信部１２８が修正後の設定データを設定データ変換部１２７によるデータ変換の後、ネットワーク機器１５０に送信し、ネットワーク機器１５０修正後の設定データの設定を行わせる。また、データ表示部１２５が修正後の配置データを機器配置指示として表示する。
更に、データ反映部１２９が、修正後の設定データ、修正後の配置データをネットワーク機器管理装置１００に送信し、ネットワーク機器管理装置１００に修正内容を反映させる。
これらの動作により、ネットワーク機器の設定データと配置データを矛盾なく効率的に管理することができる。
【００１６】
ここで、本実施の形態に係るネットワーク機器管理装置１００、ネットワーク機器設定装置１２０、ネットワーク機器１５０のハードウェア構成について説明する。
【００１７】
図１０は、本実施の形態及び以下に述べる実施の形態に示すネットワーク機器管理装置１００、ネットワーク機器設定装置１２０、ネットワーク機器１５０のハードウェア資源の一例を示す図である。
図１０においてネットワーク機器管理装置１００、ネットワーク機器設定装置１２０、ネットワーク機器１５０は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、表示装置９０１、キーボード９０２、マウス９０３、磁気ディスク装置９２０と接続され、これらのハードウェアデバイスを制御する。更に、ＣＰＵ９１１は、ＦＤＤ９０４（Ｆｌｅｘｉｂｌｅ  Ｄｉｓｋ  Ｄｒｉｖｅ）、コンパクトディスク装置９０５（ＣＤＤ）、プリンタ装置、スキャナ装置等と接続していてもよい。また、磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置あるいは記憶部の一例である。
通信ボード９１５、キーボード９０２、ＦＤＤ９０４、スキャナ装置などは、入力部、入力装置の一例である。
また、通信ボード９１５、表示装置９０１、プリンタ装置などは、出力部、出力装置の一例である。
【００１８】
通信ボード９１５は、図１に示すように、通信手段１９０に接続されている。例えば、通信ボード９１５は、ＬＡＮ（ローカルエリアネットワーク）、インターネット、ＷＡＮ（ワイドエリアネットワーク）、無線ＬＡＮ、無線通信網などに接続されていても構わない。
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００１９】
上記プログラム群９２３には、本実施の形態及び以下に述べる実施の形態の説明において「〜部」として説明している機能を実行するプログラムが記憶されている。プログラムは、ＣＰＵ９１１により読み出され実行される。
ファイル群９２４には、以下に述べる説明において、「〜の判定結果」、「〜の計算結果」、「〜の処理結果」、「〜の評価結果」等として説明している情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・印刷・表示などのＣＰＵの動作に用いられる。抽出・検索・参照・比較・演算・計算・処理・編集・出力・印刷・表示のＣＰＵの動作の間、情報やデータや信号値や変数値やパラメータは、メインメモリ、レジスタ、キャッシュメモリ、バッファメモリ等に一時的に記憶される。
また、以下で説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ等の記録媒体に記録される。また、データや信号は、バス９１２や信号線やケーブルその他の伝送媒体によりオンライン伝送される。
【００２０】
また、本実施の形態及び以下に述べる実施の形態の説明において「〜部」として説明しているものは、「〜回路」、「〜装置」、「〜機器」、「手段」であってもよく、また、「〜ステップ」、「〜手順」、「〜処理」であってもよい。すなわち、「〜部」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、本実施の形態及び以下に述べる実施の形態の「〜部」としてコンピュータを機能させるものである。あるいは、本実施の形態及び以下に述べる実施の形態の「〜部」の手順や方法をコンピュータに実行させるものである。
【００２１】
このように、本実施の形態及び以下に述べる実施の形態に示すネットワーク機器管理装置１００、ネットワーク機器設定装置１２０、ネットワーク機器１５０は、処理装置たるＣＰＵ、記憶装置たるメモリ、磁気ディスク等、入力装置たるキーボード、マウス、通信ボード等、出力装置たる表示装置、通信ボード等を備えるコンピュータであり、上記したように「〜部」として示された機能をこれら処理装置、記憶装置、入力装置、出力装置を用いて実現するものである。
【００２２】
次に、本実施の形態に係るネットワーク機器管理システムの動作（機器設定方法）について説明する。
図５は、管理者１０１がネットワーク機器管理装置１００でネットワーク機器１５０に対する設定データ（１）、配置データ（１）を作成し、設定作業者１２１が管理者１０１が作成した設定データをネットワーク機器設定装置１２０に取り込み、ネットワーク機器１５０を設定・配置し、設定データ（２）および配置データ（２）をネットワーク機器管理装置１００に復元するまでの動作手順を示す流れ図である。
【００２３】
先ず、管理者１０１は、設定データ作成部１０２、配置データ作成部１０３を用いてネットワーク機器に対する設定値である設定データ（１）１０４とネットワーク機器の配置場所を表す配置データ（１）１０５を作成する（ステップＳ５０１）。
図２は、設定データ作成部１０２と配置データ作成部１０３による表示の一例であり、管理画面表示部１０６の画面上に地図とネットワーク機器を表示することで、ユーザが画面上でネットワーク機器の配置データや設定データを作成できるようにするものである。図２では、１〜３が、それぞれネットワーク機器の識別番号を示している。また、ネットワーク機器の配置エリア（図２では建物の１Ｆ）をＸ方向、Ｙ方向の２方向で表現し、ネットワーク機器をそれぞれの配置場所（座標）に配置している例を示している。配置データについては、例えば、マウス、キーボード操作により、図２の地図上でネットワーク機器の配置場所を指定することにより、ＧＵＩ（Ｇｒａｐｈｉｃａｌ  Ｕｓｅｒ  Ｉｎｔｅｒｆａｃｅ）により、対応する地図上の座標が特定され、配置データが生成される。
この手段により作成される設定データ（１）１０４と配置データ（１）１０５は、それぞれ図３、図４のようになる。
ここでは説明を分かりやすくするため、図３では、ＩＰアドレス、ネットマスク、ゲートウェイなど、他の機器と通信するために最低限必要な項目のみを示したが、たとえばルータのルーティング方式に関する設定や、ネットワークカメラの画像解像度の設定などを行えるようにしても構わない。
同様に、図４の座標に関しても２次元座標で表現しているが、３次元座標で表現しても構わない。
【００２４】
次に、管理者１０１が設定データ（１）１０４と配置データ（１）１０５を作成し終えた後、設定作業者１２１は、ネットワーク機器設定装置１２０のデータ取得部１２２を通じて、設定データ（１）１０４と配置データ（１）１０５をネットワーク機器設定装置１２０内に取り込む（ステップＳ５０２）（データ取得ステップ）。これらネットワーク機器設定装置１２０が取り込んだデータを、設定データ（２）１２３、配置データ（２）１２４とする。つまり、データ取得部１２２が、ネットワーク機器管理装置１００から設定データ（１）１０４と配置データ（１）１０５を受信し、データ取得部１２２による受信後の設定データと配置データを設定データ（２）１２３、配置データ（２）１２４と称する。
ネットワーク機器設定装置１２０に取り込まれた設定データ（２）１２３、配置データ（２）１２４は、データ記憶部１３０に記憶されるとともに、データ表示部１２５により画面表示される（ステップＳ５０３）。
図６（ａ）は、データ表示部１２５に表示される画面の例である。
ここでは６２０に示すように、データ表示部１２５に、配置データ（２）１２４のうち、ネットワーク機器に適用可能な３つの設定が表示されている。また、６１０には配置データ（２）１２４の内容が図示されている。管理者１０１は、ネットワーク機器１５０に設定したい情報をデータ表示部１２５の画面から選択する。ここでは例として、６４０（６２０に示すＩＤが１のものと同じ）を選択したとする（ステップＳ５０４）。
【００２５】
ここで、ネットワーク機器１５０を設置する現場の都合などにより、データ表示部１２５で選択した情報をそのままネットワーク機器１５０に適用できない場合、データ修正部１２６を用いて修正する（ステップＳ５０５）。
図７は、現在値と修正を行った後の値の一例であり、図６の機器の設定ボタン６５０を設定作業者１２１が選択したときにデータ表示部１２５に表示されるものである。ここでは、ＩＰアドレスとＸ座標を変更することとしている。
設定作業者１２１が、たとえば７１０に示す変更確定のボタンを選択することにより、データ修正部１２６が、修正後の値に設定データ（２）１２３および配置データ（２）１２４を修正し、更新する。同時にデータ表示部１２５の画面も、例えば図６（ｂ）のように更新される（Ｓ５０６、Ｓ５０７）（設定データ変更ステップ）（配置データ変更ステップ）。
【００２６】
次にステップＳ５０５でデータの修正が不要と判断された場合、あるいはステップＳ５０６、Ｓ５０７でデータを修正した後に、データ表示部１２５は、修正を行っていない配置データ（ネットワーク機器管理装置１００から取得したそのままの配置データ）又は修正後の配置データ（データ修正部１２６により修正された後の配置データ）を例えば、図４に示す形式で、機器配置指示として設定作業者１２１に対して表示する（ステップＳ５０８）（出力ステップ）。また、例えば、図示していないプリンタ装置などに、図４に示す形式で機器配置指示として印刷してもよい。
【００２７】
次に、設定作業者１２１は、ネットワーク機器設定装置１２０に対して、例えば図６の設定の適用ボタン６６０を選択するなどしてネットワーク機器１５０に対する設定を指示する。これにより、修正を行っていない設定データ（ネットワーク機器管理装置１００から取得したそのままの設定データ）又は修正後の設定データ（データ修正部１２６により修正された後の設定データ）を、設定データ変換部１２７が、設定データ送信部１２８で用いられる通信方式に従うように変換して、設定データ送信部１２８に渡す。変換されたデータを受け取った設定データ送信部１２８は、ネットワーク機器１５０に対して変換データを送信する（ステップＳ５０９）（設定データ送信ステップ）。
【００２８】
ネットワーク機器１５０は、設定データ受信部１５１により、ステップＳ５０９で送信された変換データを受信する（ステップＳ５１０）。
設定データ受信部１５１が受信した変換データは、設定データ変換部１５２により設定データ（３）１５３に変換され、ネットワーク機器１５０に適用される（ステップＳ５１１）。
以降、ステップＳ５０４〜Ｓ５１１までを、設定対象である全てのネットワーク機器１５０に繰返し適用する（ステップＳ５１２）。
全てのネットワーク機器１５０の設定を終えた後、ネットワーク機器設定装置１２０の設定データ（２）１２３と配置データ（２）１２４をデータ反映部１２９がネットワーク機器管理装置１００の設定データ（１）１０４と配置データ（１）１０５に反映する（ステップＳ５１３）（データ反映ステップ）。
具体的には、データ反映部１２９は、データ修正部１２６による設定データの変更又は／及び配置データの変更がなされた場合に、変更後の設定データ又は／及び変更後の配置データをネットワーク機器管理装置１００に対して送信して、ネットワーク機器管理装置１００に設定データ又は／及び配置データの更新を行わせる。
【００２９】
なお、図５のフローチャートにおいて、各ステップは適宜変更可能である。例えば、ネットワーク機器設定装置１２０からネットワーク機器１５０への設定データの送信（ステップＳ５０９）の後に機器配置情報の出力（ステップＳ５０８）を行ってもよい。また、図５では、全てのネットワーク機器の設定が完了した後（ステップＳ５１２）に、設定データの反映（ステップＳ５１３）をまとめて行うこととしているが、ネットワーク機器に設定データを送信する都度設定データの反映を行うようにしてもよい。
【００３０】
以上のように本実施の形態によれば、管理者１０１が作成した設定データ（１）１０４および配置データ（１）１０５を、ネットワーク機器設定装置１２０を利用してネットワーク機器１５０に適用することで、実際のネットワーク機器１５０の設定・配置データとネットワーク機器管理装置１００に登録されている設定データ（１）１０４と配置データ（１）１０５とに一貫性を持たせることが出来る。
また、管理者１０１が作成した設定データ（１）１０４および配置データ（１）１０５通りの設定を実現できない場合にも、設定作業者１２１がネットワーク機器設定装置１２０を用いて設定データ（２）１２３および配置データ（２）１２４を修正し、ネットワーク機器１５０に対して設定を適用することで、実際にネットワーク機器１５０が配置される場所と設定データを正確に管理することができるようになる。
【００３１】
このように、本実施の形態では、ネットワークを利用したシステムにおいて、ネットワーク機器の設定情報を作成する設定データ作成手段と前記ネットワーク機器の配置場所に関する情報を作成する配置データ作成手段と前記設定データと前記配置データを表示する管理画面表示手段と、
上記設定データ作成手段と上記配置データ作成手段により作成された設定データと配置データを取得するデータ取得手段、前記データ取得手段によって得られた前記設定データと前記配置データを表示する配置データ表示手段、前記設定データと前記配置データを修正する配置情報修正手段、前記設定データを通信可能な形態に変換する設定情報変換手段と、前記設定情報変換手段によって変換されたデータを送信する設定情報送信手段と、
前記設定情報送信手段によって送信されたデータを受信する設定情報受信手段と前記設定情報受信手段が受信したデータを前記ネットワーク機器が利用可能な形態に変換する設定情報変換手段を備えたことを特徴とするネットワーク機器管理システムについて説明した。
【００３２】
そして、このような特徴により、ネットワーク機器に設定すべき設定データおよびネットワーク機器を配置すべき場所を表した情報をネットワーク機器設定装置に表示し、その情報に誤りがあった場合、設定作業者が誤った情報を修正してから、ネットワーク機器に対する設定を行うことができるので、設定データおよび配置データに矛盾が生じることがなく、ネットワーク管理作業が容易になる。
【００３３】
また、配置情報修正手段にタッチパネルを用いるようにしてもよい。
このようにすることで、ネットワーク機器に関する配置データを修正する際に、タッチパネルを利用することにより、地図上で配置データを修正することができるので、修正作業が容易になる。
また、同様に、マウス操作により、地図上で配置データを修正できるようにしてもよい。
【００３４】
また、設定情報送信手段に、非接触型通信手段を用いて、設定データをネットワーク機器に送信するようにしてもよい。このようにすることで、ネットワーク機器設定装置とネットワーク機器間の通信を非接触型通信により実現することで、ネットワーク機器設定装置がＬＡＮ（Ｌｏｃａｌ  Ａｒｅａ  Ｎｅｔｗｏｒｋ）などの物理的な通信路に接続されていなくてもネットワーク機器に対する設定を行うことができるため、ネットワーク機器に対する設定作業が容易になる。
【００３５】
また、ネットワーク機器が映像撮影装置の場合、設定情報送信手段として二次元コードを用い、設定情報受信手段として二次元コード認識装置を用いるようにしてもよい。
このようにすることで、ネットワーク機器が映像撮影装置の場合、ネットワーク機器設定装置の表示画面上に二次元コードを表示し映像撮影装置に設定データを認識させることで、ネットワーク機器に対する設定作業を容易に行える。
【図面の簡単な説明】
【００３６】
【図１】実施の形態１に係るネットワーク機器管理システムの構成例を示す図。
【図２】実施の形態１に係るネットワーク機器管理装置の表示画面例を示す図。
【図３】実施の形態１に係る設定データの例を示す図。
【図４】実施の形態１に係る配置データの例を示す図。
【図５】実施の形態１に係る機器管理方法における動作例を示す図。
【図６】実施の形態１に係るネットワーク機器設定装置の表示画面例を示す図。
【図７】実施の形態１に係るネットワーク機器設定装置の表示画面例を示す図。
【図８】従来技術を説明する図。
【図９】従来技術を説明する図。
【図１０】実施の形態１に係るネットワーク機器管理システム、ネットワーク機器設定システム、ネットワーク機器のハードウェア構成例を示す図。
【符号の説明】
【００３７】
１００  ネットワーク機器管理装置、１０１  管理者、１０２  設定データ作成部、１０３  配置データ作成部、１０４  設定データ（１）、１０５  配置データ（１）、１０６  管理画面表示部、１０７  データ記憶部、１０８  通信部、１０９  制御部、１２０  ネットワーク機器設定装置、１２１  設定作業者、１２２  データ取得部、１２３  設定データ（２）、１２４  配置データ（２）、１２５  データ表示部、１２６  データ修正部、１２７  設定データ変換部、１２８  設定データ送信部、１２９  データ反映部、１３０  データ記憶部、１３１  制御部、１５０  ネットワーク機器、１５１  設定データ受信部、１５２  設定データ変換部、１５３  設定データ（３）、１５４  データ記憶部、１５５  制御部、１９０  通信手段。
【図１】
2007335963.tif 000003
【図２】
2007335963.tif 000004
【図３】
2007335963.tif 000005
【図４】
2007335963.tif 000006
【図５】
2007335963.tif 000007
【図６】
2007335963.tif 000008
【図７】
2007335963.tif 000009
【図８】
2007335963.tif 000010
【図９】
2007335963.tif 000011
【図１０】
2007335963.tif 000012